(57)【要約】本発明は、製品ディスペンサーに関し、特にはストリップの形態の製品用のディスペンサーに関する。製品ディスペンサーは、ベースに対して枢動可能に取り付けられた蓋を有する容器を含む。一実施形態によれば、アセンブリがカートリッジハウジング及び分配カートリッジを含む。分配カートリッジは、ストリップ積層体を収容するように構成される。ガイドがバネにより付勢されてアセンブリの分配端部に向ってストリップ積層体の底部に対してプッシャーバーを押す。ストリップが分配される時、スライダーが第１位置から第２位置へ動かされ、スライダーアームが接触して分配開口に向けてストリップを回転させるのを補助する。回転されたストリップの少なくともコーナーが分配開口から突出し、ユーザーがアセンブリからストリップを取り出すことができる。
2014517910.tif 000002
【特許請求の範囲】
【請求項１】
ベース及び蓋を有する容器であって、前記ベースが内部空間を概して画定する底壁及び側壁を有する、容器；
オプションとして、前記ベース及び前記蓋を連結するヒンジ；
前記内部空間内に配置され、リセスを有するカートリッジハウジング；
分配端部、供給端部、及び内部を有する分配カートリッジであって、当該分配カートリッジの少なくとも一部が前記カートリッジハウジングの前記リセス内に配置され、当該分配カートリッジの前記内部がストリップ積層体の配置を受容するべく構成され、当該分配カートリッジが前記ストリップ積層体からストリップを分配するべく構成された分配開口を有する、分配カートリッジ；
前記分配カートリッジの前記内部に少なくとも部分的に配置されたプッシャーバー：
第１バネにより付勢されて前記分配カートリッジの前記分配端部に向って前記プッシャーバーを押すガイド；及び
スライダーアームを有するスライダーであって、当該スライダーの少なくとも一部が、前記カートリッジハウジングに形成されたチャネルにして第１の非分配の位置から第２の分配の位置への前記スライダーのスライド移動のために構成されたチャネルに収容される、スライダー、を備えるディスペンサーアセンブリ。
【請求項２】
前記ディスペンサーアセンブリが、前記ディスペンサーアセンブリの少なくとも一部内への湿気の進入を調整するシールを含む、請求項１に記載のディスペンサーアセンブリ。
【請求項３】
前記シールの少なくとも一部が、前記ベース、前記蓋、又は前記分配カートリッジの周囲縁の周りに配置される、請求項２に記載のディスペンサーアセンブリ。
【請求項４】
前記シールがエラストマー材料から成る、請求項３に記載のディスペンサーアセンブリ。
【請求項５】
前記蓋と前記ベースの間にシールが形成される、請求項１に記載のディスペンサーアセンブリ。
【請求項６】
前記分配カートリッジは、前記分配カートリッジの前記分配端部にあるクリアランススロットを含み、
前記クリアランススロットは、前記ストリップが分配される時に前記ストリップ積層体からストリップの少なくとも一部の枢動可能な移動を許容するように配置及び構成される、請求項１に記載のディスペンサーアセンブリ。
【請求項７】
前記分配カートリッジは、前記スライダーアームを受容するように構成されたスライダーアームスロットを含む、請求項１に記載のディスペンサーアセンブリ。
【請求項８】
前記分配カートリッジがガイドスロットを含み、前記ガイドスロットが前記ガイドの挿入を受容するように構成される、請求項１に記載のディスペンサーアセンブリ。
【請求項９】
前記ガイドがガイドレールを含み、
前記ガイドレールの少なくとも一部が、前記ガイドスロット内に挿入されるべく、及び前記プッシャーバーとの係合のために構成される、請求項８に記載のディスペンサーアセンブリ。
【請求項１０】
前記カートリッジハウジングが前記分配カートリッジの前記ガイドスロットに整列するガイドスロットを含む、請求項１に記載のディスペンサーアセンブリ。
【請求項１１】
前記スライダーが本体部分及び操作部分を含む、請求項１に記載のディスペンサーアセンブリ。
【請求項１２】
第２バネを更に含み、前記第２バネが前記スライダーを前記第１位置に付勢するように構成される、請求項１１に記載のディスペンサーアセンブリ。
【請求項１３】
前記分配カートリッジが前記ディスペンサーアセンブリから取り外し可能であり、前記分配カートリッジが別の分配カートリッジにより交換可能であるか、若しくはストリップ積層体で再充填可能である、請求項１に記載のディスペンサーアセンブリ。
【請求項１４】
前記ディスペンサーアセンブリがインターフェイス電子機器を含み、前記インターフェイス電子機器が、前記ディスペンサーアセンブリから分配されたストリップ上のユーザーからのサンプルに包含された情報を処理するためのプロセッサーを含む、請求項１に記載のディスペンサーアセンブリ。
【請求項１５】
前記インターフェイス電子機器がディスプレイを含む、請求項１４に記載のディスペンサーアセンブリ。
【請求項１６】
前記インターフェイス電子機器の少なくとも一部が前記蓋に組み込まれる、請求項１４に記載のディスペンサーアセンブリ。
【請求項１７】
前記分配アセンブリが、前記プロセッサーに動作可能に接続されたポートを含み、前記ポートが、前記サンプルを含有する前記分配されたストリップの挿入を受容するべく構成され、前記ポートが、前記分配されたストリップ上の前記サンプルに包含された情報を検知するべく構成される、請求項１４に記載のディスペンサーアセンブリ。
【請求項１８】
前記検出された情報が血糖に関する、請求項１７に記載のディスペンサーアセンブリ。
【請求項１９】
前記プロセッサーが前記サンプルから検知された情報を処理し、前記処理された情報の少なくとも一部が前記ディスプレイ上に表示される、請求項１７に記載のディスペンサーアセンブリ。
【請求項２０】
前記サンプルから検知された前記情報が外部装置に通信され、前記外部装置が、前記通信された情報を処理するプロセッサーを含む、請求項１４に記載のディスペンサーアセンブリ。
【請求項２１】
前記外部装置が前記インターフェイス電子機器から通信された前記情報に関する情報を表示するディスプレイを含む、請求項２０に記載のディスペンサーアセンブリ。
【発明の詳細な説明】
【技術分野】
【０００１】
本発明は、製品ディスペンサーに関し、より端的にはストリップ形態の製品用のディスペンサーに関する。
【背景技術】
【０００２】
ストリップ形態の消費者製品用に使用される製品ディスペンサーは、度々、使い捨てであり、そこに包含された製品の使用又は処分の後に製品ディスペンサー全体が破棄される。加えて、そのようなディスペンサーは、製品の保存寿命の向上のために使用されるシールを含み、ディスペンサーの最初の開封後にシールが除去され、又は繰り返しの製品ディスペンサーの開閉を介して永続的なシールが品質面にて損なわれ又は劣化してしまう。
【０００３】
本発明の実施形態は、他の製品の内、例えば、薬品及び補給品、製菓品、及びかみたばこを含むストリップ形態の消費者製品用の製品ディスペンサーに関する。更には、本発明は、例えば、グルコースストリップ（試験紙）といった消費者製品の再充填を許容するべく構成された再使用可能な製品ディスペンサーに関する。ある実施形態によれば、製品ディスペンサーは、製品ディスペンサーの他の部品の交換と共に又はこれ無しで消費者製品の交換により選定された消費者製品で再充填される。加えて、ある実施形態によれば、製品ディスペンサーは、製品ディスペンサーの内部空間の内外の湿気の進入及び／又は排出の調整を補助する交換可能なシールを含み、これが製品ディスペンサーの内部空間の状態の調整に用いられる。
【発明の概要】
【課題を解決するための手段】
【０００４】
本発明の一側面は、ベース及び蓋を有する容器を含むディスペンサーアセンブリである。前記ベースが内部空間を概して画定する底壁及び側壁を有する。ある実施形態によれば、前記ベース及び前記蓋がヒンジにより一緒に連結される。アセンブリは、前記ベースの前記内部空間内に配置されたカートリッジハウジングも含む。前記アセンブリは、分配端部、供給端部、及び内部を有する分配カートリッジも含む。前記分配カートリッジの少なくとも一部が前記カートリッジハウジングのリセス内に配置される。前記分配カートリッジの前記内部がストリップ積層体の配置を受容するべく構成される。更に、前記分配カートリッジが前記ストリップ積層体からストリップを分配するべく構成された分配開口を有する。プッシャーバーは、前記分配カートリッジの前記内部に少なくとも部分的に配置される。前記アセンブリは、第１バネにより付勢されて前記分配カートリッジの前記分配端部に向って前記プッシャーバーを押すガイドも含む。加えて、前記アセンブリは、分配アームを有するスライダーを含む。前記スライダーの少なくとも一部が前記カートリッジハウジングに形成されたチャネルに収容される。前記チャネルが第１の非分配の位置から第２の分配の位置への前記スライダーのスライド移動のために構成される。
【０００５】
本発明の別の側面は、ベース及び蓋を有する容器を含むディスペンサーアセンブリである。ある実施形態によれば、前記ベース及び前記蓋がヒンジにより連結される。前記ベースが内部空間を概して画定する底壁及び側壁を有する。前記アセンブリは、前記ベースに動作可能に固定された取付部材も含む。前記取付部材は、第１端部、第２端部、ガイドスロット、及び内部領域を有する。加えて、前記アセンブリが、底部及び少なくとも一つのグリップを有するカートリッジを含む。前記カートリッジは、前記カートリッジの前記底部上のストリップ積層体の配置を受容するように構成される。前記少なくとも一つのグリップは、前記取付部材に前記カートリッジを配置するために構成される。前記アセンブリは、更に、第１バネの第１端部に動作可能に取り付けられたガイドを含む。前記ガイドの少なくとも一部は、前記ガイドスロットの少なくとも一部に沿って移動するように構成される。前記第１バネは、前記取付部材の前記第１端部に向って前記ガイドを付勢するべく構成される。プッシャーバーは、前記ガイドに隣接して配置され、前記ガイドにより前記取付部材の前記第１端部に向けて押される。前記アセンブリは、前記カートリッジの少なくとも一部を被覆するべく構成されたカバーも含む。前記カバーは、分配開口、少なくとも一つのオリフィス、及びスロットを含む。前記少なくとも一つのオリフィスは、前記少なくとも一つのグリップの少なくとも一部の前記突起を受容するように構成される。更に、前記アセンブリは、スライダーアームを有するスライダーを含み、前記スライダーが前記カバーの前記スロットに沿って第１位置から第２位置へスライドするように構成される。前記スライダーアームは、前記第１及び第２位置から前記スライダーが移動する時に前記ストリップ積層体のストリップに係合するように構成される。
【０００６】
本発明の別の側面は、ベース及び蓋を有する容器を含むディスペンサーアセンブリであり、前記ベースが内部領域を有する。ある実施形態によれば、前記ベース及び前記蓋がヒンジにより連結される。前記アセンブリは、前記ベースの前記内部領域内に配置される内側レセプタクルも含む。前記内側レセプタクルは、レバー、側壁、及び内部領域を含む。前記レバーは、第１位置から第２位置へユーザーにより変位されるように構成される。前記アセンブリは、前記外側及び／又は内側レセプタクルに固定されたフレキシブル部材も含む。更に、前記アセンブリは、第１端部及び第２端部を有するプッシャーブレードを有し、第１端部が動作可能に前記レバーに接続される。加えて、前記アセンブリがガイドハウジングを有し、前記ガイドハウジングの少なくとも一部が前記内側レセプタクルの前記内部領域内に配置される。前記ガイドハウジングは、前記レバーが前記第１位置から前記第２位置に動かされる時に前記プッシャーブレードの少なくとも一部を案内するように構成されたスロットを含む。前記アセンブリは、上部、本体部分、及びスロットを有するディスペンサーハウジングも含む。前記本体部分は、ストリップ積層体の挿入を受容するべく構成された内部領域を有する。前記上部は、前記ストリップ積層体から１以上のストリップを分配するために構成された分配開口を含む。前記スロットは、前記レバーが前記第２位置に動かされる時に前記プッシャーブレードの前記第２端部の挿入を受容するべく構成される。更に、前記ディスペンサーハウジングの少なくとも一部が、前記内側レセプタクルの前記内部領域内に配置される。前記アセンブリは、バネにより付勢されて前記ディスペンサーハウジングの前記上部に向かって前記本体部分の前記内部領域の少なくとも一部に亘りプッシャーバーを押すガイドを更に含む。
【０００７】
本発明に係るアセンブリは、前記アセンブリ内への湿気の進入を調整及び／又は阻止し、若しくは前記アセンブリ内の状態を調整するシールも含む。更に、前記アセンブリは、とりわけ、例えば、グルコースストリップといったように、ユーザーにより使用された分配済みのストリップ上の情報の検知及び／又は検知された情報の処理に用いられるインターフェイス電子機器も含む。加えて、前記アセンブリの個々の部品が再充填及び／又は使い捨て可能であり、前記部品が再使用又は交換される。
【図面の簡単な説明】
【０００８】
【図１】図１は、スタート位置にあるディスペンサーの実施形態の上部斜視図である。
【０００９】
【図２】図２は、分配位置にある図１のディスペンサーの上部斜視図である。
【００１０】
【図３】図３は、図１の示したディスペンサーの分解図である。
【００１１】
【図４】図４は、図１のライン４−４に沿って取られた断面図である。
【００１２】
【図５】図５は、容器が取り除かれたディスペンサーの底部斜視図であり、カートリッジ及びカートリッジハウジングを示す。
【００１３】
【図６Ａ】図６Ａは、図１のディスペンサーに用いられる試験ストリップの実施形態を示す。
【００１４】
【図６Ｂ】図６Ｂは、図１のディスペンサーに用いられる試験ストリップの第２実施形態を示す。
【００１５】
【図６Ｃ】図６Ｃは、図１のディスペンサーに用いられる試験ストリップの第３実施形態を示す。
【００１６】
【図７Ａ】図７Ａは、図１のディスペンサーに用いられる分配カートリッジ及び包装の上部斜視図である。
【００１７】
【図７Ｂ】図７Ｂは、図１のディスペンサーに用いられる分配カートリッジ及び包装の底部斜視図である。
【００１８】
【図８】図８は、インターフェイス電子機器を有する分配器具の上部斜視図である。
【００１９】
【図９】図９は、閉じた位置のディスペンサーの実施形態の上部斜視図である。
【００２０】
【図１０】図１０は、第１又はスタート位置にあるスライダーを有する（蓋が省いて示された）図９のディスペンサーの上部斜視図である。
【００２１】
【図１１】図１１は、第２又は分配位置にあるスライダーを有する（蓋が省いて示された）図９のディスペンサーの上部斜視図である。
【００２２】
【図１２】図１２は、本発明の実施形態に係る取付部材内に組み立てられたカートリッジ、ガイド、及びスライダーの上部斜視図である。
【００２３】
【図１３】図１３は、本発明の実施形態に係る取付部材の底部斜視図である。
【００２４】
【図１４】図１４は、本発明の実施形態に係るガイドの後方側面斜視図である。
【００２５】
【図１５】図１５は、本発明の実施形態に係るガイド及びカートリッジの側面斜視図である。
【００２６】
【図１６ａ】図１６ａは、図９の断面Ａ−Ａに沿って取られたディスペンサーの断面図である。
【００２７】
【図１６ｂ】図１６ｂは、図１０の断面Ｂ−Ｂの一部に沿って取られたディスペンサーの断面図である。
【００２８】
【図１７】図１７は、本発明の実施形態に係る取付部材内に組み立てられたカートリッジ、ガイド、及びスライダーの底部図である。
【００２９】
【図１８】図１８は、本発明の実施形態に係るスライダーの側面斜視図である。
【００３０】
【図１９】図１９は、取り外し可能なインターフェイス電子機器を有する分配器具の上部斜視図である。
【００３１】
【図２０】図２０は、図１９に示したインターフェイス電子機器の斜視図である。
【００３２】
【図２１】図２１は、図１９に示した分配器具から取り外されたインターフェイス電子機器の斜視図である。
【００３３】
【図２２】図２２は、開位置にあるディスペンサーの実施形態の側面斜視図である。
【００３４】
【図２３】図２３は、ベースが取り除かれた図２２に示したディスペンサーの側面図である。
【００３５】
【図２４】図２４は、図２３に示したディスペンサーの底部図である。
【００３６】
【図２５】図２５は、本発明の実施形態に係るディスペンサーハウジング、ガイドハウジング、プッシャーブレード、プッシャーバー、及びガイドの第１側面斜視図である。
【００３７】
【図２６】図２６は、本発明の実施形態に係るディスペンサーハウジング、ガイドハウジング、プッシャーブレード、プッシャーバー、ガイド、及びバネの第２側面斜視図である。
【００３８】
【図２７】図２７は、図２２に図示したディスペンサーの断面図である。
【発明を実施するための形態】
【００３９】
上述の説明において特定の用語が便宜のために用いられ、これは限定するように意図されない。「前」、「後」、「上」、及び「底」といった単語は、参照の図面における方向を指定する。この用語は、明確に上述の単語、これらの派生語、及び同趣旨の単語を含む。加えて、単語「不定冠詞ａ」及び「一つ」は、明確に述べられる場合を除いて１以上の参照アイテムを包含するものと定義される。「Ａ、Ｂ又はＣ」といった２以上のアイテムのリストが続く「少なくとも一つの」とのフレーズは、Ａ、Ｂ又はＣの任意の個々の一つを意味し、それらの任意の組み合わせも同様に含む。
【００４０】
ディスペンサーアセンブリ１０の第１実施形態が図１〜５に図示される。図示のように、アセンブリ１０は、概して、容器２０、分配カートリッジ５０、及びカートリッジハウジング８０を含む。アセンブリ１０は、ストリップ１２の積層体１１を収容し、またストリップ１２の個々の一つを分配するために使用可能である。
【００４１】
図１〜３を参照すると、容器２０が詳細に図示される。図示のように、容器２０は、ベース２２並びにヒンジ２６でベース２２に枢動可能に取り付けられた蓋２４を含む。ベース２２は、底壁２８と底壁２８の周囲にてそこから上方に延びる側壁３０を含む。底壁２８と側壁３０が一緒に分配カートリッジ５０及びカートリッジハウジング８０を収容するための内部空間を画定する。蓋は、上壁３２と上壁３２の周囲にてそこから下方に延びる側壁３４を含む。蓋２４は、図１〜３に示した開位置と蓋の側壁３４がベースの側壁２８に接触する閉位置の間をヒンジ２６回りに枢動する。
【００４２】
図１〜４に示すように、容器２０は、分配カートリッジ５０及び分配カートリッジハウジング８０を保持する。分配カートリッジ５０及び分配カートリッジハウジング８０は、以下で詳細に説明のように、カートリッジ５０内に収容された積層体から個々のストリップ１２を分配するべく協調して作動する。
【００４３】
図３、４、７Ａ及び７Ｂを参照すると、分配カートリッジ５０が詳細に図示される。図示のように、分配カートリッジ５０は、実質的に矩形の形状を有し、ストリップ１２の積層体１１を収容するために内部５２を画定する。カートリッジ５０は、好適には、図示の実施形態においては同様に実質的に矩形である積層体１１の形状に合致するように形状付けられる。カートリッジ５０の形状は、同様に他の製品形状を収容するべく変更可能であるものと理解されるべきである。プッシャーバー６４は、ストリップ１２の積層体１１の供給端部１４でカートリッジ５０の内部５２に置かれ、以下に詳細に説明のようにカートリッジ５０の分配開口５４に向かって方向Ｐに積層体を押す。本明細書に記述の任意の要素との関係において以降に用いられるように、単語「分配端部」は、図１〜３において、方向Ｐに向かって配向され、又は右に向かって位置付けられたその要素の端部を意味する。本発明の任意の要素との関係において以降に用いられるように、単語「供給端部」は、図１〜３において、方向Ｐの（方向Ｐから離れる）反対方向に配向され、又は左に向かって位置付けられたその要素の端部を意味する。図１及び２に示すように、積層体１１の分配端部１６の個々のストリップ１２は、カートリッジ５０の分配端部５６にあるその上面に設けられた分配開口５４を介して分配される。
【００４４】
図７Ｂに示すように、分配カートリッジ５０の底部は、ガイドスロット６２を含む。ガイドスロット６２は、方向Ｐにプッシャーバー６４を押し、順に方向「Ｐ」にストリップ１２の積層体１１を押すガイドレール９２を受け入れる。アクセス開口６６がカートリッジ５０の供給端部５５に設けられ、ガイドレール９２の挿入を許容する。分配カートリッジ５０の底部は、更に、その分配端部５６にあるカートリッジ５０の後方に向かって設けられたクリアランススロット６０を含み、分配中にストリップ１２の枢動を許容し、スライダーアーム１２６を受け入れるスライダーアームスロット５８も同様に含んでディスペンサーアセンブリ１０の分配動作が作動する。ある実施形態によれば、分配中にストリップ１２に係合するスライダーアーム１２６の少なくとも一部は、とりわけ、傾斜された、面取りされた、又は丸み付けられたといったストリップ１２の枢動を補助する構成を有する。
【００４５】
カートリッジ５０は、カートリッジハウジング８０に形成されたリセス８２内に置かれ、これが順に容器２０のベース２２内に置かれる。図３に図示のように、カートリッジハウジング８０は、カートリッジ５０がカートリッジハウジング８０のリセス８２内に置かれる時、カートリッジ５０のガイドスロット６２に整列するガイドスロット８４を含む。ガイド９０は、容器のベース２２内のカートリッジハウジング８０の下に置かれたガイドレール９２を含む。ガイドレール９２は、ガイド９０の本体部分９４から上方へ突出し、カートリッジ５０及びカートリッジハウジング８０の整列されたガイドスロット６２、８４を介して延在し、プッシャーバー６４の供給端部に接触し、プッシャーバー６４を方向Ｐに押し、これが次にストリップ１２の積層体１１を方向Ｐに押す。トラック１４６、１４８がカートリッジハウジング８０の底面に設けられ、方向Ｐに、カートリッジ５０の分配端部５６に向かう直線にガイド９０を導く。
【００４６】
図５を参照すると、バネ９６は、ガイド９０を方向Ｐに付勢するべく設けられる。図示の実施形態においては、バネ９６は、ガイド９０に取り付けられる第１端部９８と、カートリッジハウジング８０の部分に取り付けられる第２端部１００を有する時計ぜんまい（clock spring）である。第２端部１００は、好適にはその分配端部８８に近傍のカートリッジハウジング８０の部分に取付けられ、若しくは少なくともガイドスロット８４の伸長よりもカートリッジハウジング８０の分配端部８８側に近い。この態様にてバネ９６を配置することにより、ガイド９０を方向Ｐに引くことが可能になり、ガイドレール９２によりプッシャーバー６４、順にストリップ１２の積層体１１がカートリッジ５０の分配開口５４に向かって方向Ｐに押される。開示の実施形態においては、バネ９６の第１端部９８が、ガイド本体９４の底部から突出する突起１０２の周りでループ形成し、他方、第２端部１００が、カートリッジハウジング８０の底面に形成された止部１０４の周りを延在する。
【００４７】
ガイド９０及びカートリッジハウジング８０に対してバネ９６を取付ける他の方法も採用可能である。別の実施形態においては、バネ９６の第１端部９８がガイド９０に取付可能であり、第２端部１００が容器のベース２２に取付可能である。別の実施形態においては、バネ９６の第１端部９８がガイド９０に取付可能であり、第２端部１００がカートリッジ５０に取付可能である。また別の実施形態においては、その供給端部においてガイド９０と容器のベースの側壁３０の間で作動する圧縮バネといった異なるタイプの付勢部材が採用可能である。各実施形態においては、バネ９６が、ガイド９０を方向Ｐに付勢する。
【００４８】
図１〜３及び５を参照すると、積層体１１から個々のストリップ１２を分配するためにスライダー１２０が設けられる。スライダー１２０は、本体部分１２２、操作部分１２４、及び分配アーム１２６を含む。本体部分１２２は、カートリッジハウジング８０の分配端部に形成されたチャネル１０６に収容される。アクセススロット１０８がチャネル１０６の上壁１１２において画定され、スライダー１２０の操作部分１２４がそこを介して突出する。図５に最も良く見られるように、方向Ｓにおいて測定される、スライダー１２０の長さは、チャネル１０６の対応の長さ未満である。同様に、方向Ｓにおいて測定される、操作部分１２４の長さは、アクセススロット１０８の対応の長さ未満である。この配置によりスライダー１２０がチャネル１０６内でスライドし、操作部分１２４がアクセススロット１０８内を方向Ｓにスライドすることが可能である。
【００４９】
チャネル１０６の側壁１１６は、カートリッジハウジング８０のリセス８２からそれを区分する。この側壁１１６は、スライダーアームスロット１１４を含む。カートリッジ５０がカートリッジハウジング８０のリセス８２内に配置される時、カートリッジ５０のスライダーアームスロット５８が、チャネルの側壁１１６のスライダーアームスロット１１４に整列する。スライダー１２０のアーム１２６は、整列したスライダーアームスロット５８、１１４内に延在する。方向Ｓにおいて測定される、アーム１２６の長さは、各スライダーアームスロット５８、１１４の対応の長さ未満である。この構成により、アーム１２６がスライダーアームスロット５８、１１４内を方向Ｓにスライドすることが可能になる。
【００５０】
ディスペンサーを作動するため、スライダー１２０の操作部分１２４が、図１に示すような第１位置から図２に示すような第２位置へ方向Ｓにスライドし、カートリッジ５０及びカートリッジハウジング８０の配列されたスライダーアームスロット５８、１１４内でアーム１２６がスライドする。アーム１２６は、カートリッジ５０の分配端部５６の最も近くに配置されたストリップ１２の一つの接触コーナー１３に接触し、方向Ｓにおけるその動きにより方向Ｒにストリップ１２を回転させる。この回転に起因し、分配されたストリップ１２の分配端部１８がカートリッジ５０の分配開口５４から突出し、従って、ユーザーがそれにアクセスしてディスペンサーアセンブリ１０から取り出すことができる。クリアランススロット６０が、分配端部１８の反対の分配ストリップ１２の端部の通路を許容し、分配されたストリップ１２の回転がカートリッジの壁部により阻止されない。ストリップ１２が積層体１１から取り出された後、バネ９６の付勢動作によりガイド９０、続けてプッシャーバー６４及び積層体１１が方向「Ｐ」に動いて分配されたストリップ１２の取出しにより生じたギャップを閉じる。スライダーの操作部分１２４は、図１に示した位置へ復帰され、次に積層体１１のストリップ１２が同じ態様にて分配可能である。加えて、スライダー１２０を第１位置に付勢するバネが組み込まれ、これにより、スライダー１２０が第１位置から動かされてユーザーが操作部分１２４を開放した後、スライダー１２０が第１位置へ復帰する。一実施形態によれば、とりわけ、つるまきバネ、コイルバネ、引張りバネ、又は力定数バネといったバネがスライダー１２０とカートリッジハウジング８０の壁部の間に配置される。
【００５１】
好適には、容器２０は、閉じられた状態にある時にストリップ１２のために封止されたハウジングを提供する。この実施形態においては、封止機構が、分配カートリッジ５０に固着された封止材料を備える。容器２０が閉じた状態にある時、蓋２４の上壁３２の内面が封止材料に接触して蓋２４とカートリッジ５０の間にシールを形成する。封止材料は、エラストマー材料といった、２つの構造の間にシールを形成するために本技術分野で知られた任意の材料であり得る。一実施形態においては、カートリッジハウジング５０が、封止材料を含む、使い捨て部品として提供され、容器２０及び場合によってはカートリッジハウジング８０が再使用可能部品として提供される。この実施形態は、封止材料が摩耗する場合及び時にシールの劣化を避けるために、封止材料が定期的に交換されることを確実にする利益を有する。別の実施形態においては、上壁３２の内面上の封止材料が蓋２４に設けられる。蓋２４がベース２２上に閉じられる時、封止材料が、カートリッジ５０及び／又はベースの側壁３０の上縁に接触してベース２２と蓋２４の間にシールを生じさせる。また別の実施形態においては、蓋２４は、蓋２４がベース２２上に閉じられる時に蓋の側壁３４の内面がベースの側壁３０の外面に接触するように配置可能である。蓋の側壁３４とベースの側壁３０の間に干渉適合が形成されてシールを形成する。本種類のシールは、上述のエラストマー材料の使用に統合可能である。ベースの側壁３０を周囲する又は蓋の側壁３４内に配置されたＯリングの使用といったように、他の種類のシールも採用可能である。
【００５２】
ディスペンサーアセンブリ１０に使用されるストリップ１２の幾つかの実施形態が図６Ａ〜６Ｃに図示される。図６Ｂは、概して矩形形状を有する通常のストリップ１２を図示する。ストリップのコーナーが実質的に直角の角度を成し、分配過程でスライダーアーム１２６により接触される接触コーナー１３を含む。図６Ａは、開示のディスペンサーアセンブリ１０で使用可能であるストリップ１２の第２実施形態を図示する。このストリップ１２は、面取り／傾斜（beveled）接触コーナー１３を有し、これにより、ストリップの分配を開始するべくそこにスライダーアーム１２６が係合することが促進される。図３に図示のストリップは図６Ａのものの構成を有する。図６Ｃは、開示のディスペンサーアセンブリ１０に使用可能であるストリップ１２の第３実施形態を図示する。このストリップ１２は、丸み付けられた接触コーナー１３を有し、これにより、図６Ａに図示したストリップのものと同じ態様においてスライダー１２６が係合することが更に促進される。
【００５３】
上述のように、一実施形態においては、容器２０がアセンブリの再使用可能部品として提供され、カートリッジ５０が使い捨て部品として提供される。この実施形態においては、図７Ａ及び７Ｂに示すように、ストリップ１２とカートリッジ５０がユニットとして提供され、封止された包装７０に収容されることができる。ひとたびストリップ１２の積層体が使い尽くされると、空のカートリッジ５０が容器２０内のカートリッジハウジング８０から取り出されて処分可能である。新しいカートリッジ５０は、次に封止された包装７０から取り出され、容器２０内のカートリッジハウジング８０内に配置される。容器のディスペンサーアセンブリ１０は、次に、分配及び使用前にストリップ１２のための新しい封止環境を形成する。図７Ａ及び７Ｂは、使い捨てユニットとして用意された単独のカートリッジ５０とストリップ１２を図示するが、他の実施形態においては、カートリッジハウジング８０も同様に使い捨てユニットの一部として提供可能であるものと理解されるべきである。代替的に、カートリッジハウジング８０は、容器２０と共に、再使用可能部品として提供可能である。
【００５４】
インターフェイスの電子機器１３０を有するディスペンサーアセンブリ１０の実施形態が図８に図示される。この実施形態においては、電子機器１３０が容器２０内に提供されるが、他の実施形態においては、電子機器１３０が、カートリッジ５０又はカートリッジハウジング８０といったアセンブリ１０の他の部品内に提供可能である。アセンブリ１０の容器２０の部分内に電子機器１３０を組み込むことは、容器２０が再使用可能部品として提供され、カートリッジ５０及び／又はカートリッジハウジング８０が使い捨て部品として提供される実施形態において特に有益であり得る。図示の実施形態においては、電子機器１３０が蓋２４内に組み込まれるが、容器２０の他の部分内にも組み込み可能である。電子機器１３０は、好適には、プロセッサー１３２と、アセンブリ１０のユーザーに情報を表示することに使用可能であるディスプレイ１３４を含む。例えば、一実施形態においては、アセンブリ１０により収容されたストリップ１２が、血糖試験ストリップ１２といった血液診断試験ストリップ１２であり得る。この実施形態においては、電子機器１３０は、試験ストリップ１２を受容するためのポート１３６を含むことができる。この実施形態のプロセッサー１３２は、ポート１３６と通信可能であり、試験ストリップ１２により検出された血糖値に関する情報を処理する。ディスプレイ１３４は、次に、血糖値に関する値を表示する。プロセッサー１３２は、試験値やこれらを取得した時間や日付といったデータを保持するためのメモリー１３８を含むことができる。プロセッサー１３２は、例えば、電子機器１３０上に設けられた１以上のボタン１４０を押すことにより、ユーザーにより指示される時、これらの値を取得するように構成可能であり、ディスプレイ１３４は、次にこの値を表示するように構成可能である。
【００５５】
電子機器は、オプションとして、そこからの信号を受信して処理可能である外部電子装置１４２と通信可能に構成される。外部装置は、例えば、コンピューター、手持ち式ワイヤレス電子装置、又は携帯電話である。この実施形態においては、外部装置１４２は、ディスプレイ１４４を含むことができ、ディスペンサーアセンブリ１０のディスプレイ１３４に代えて又はこれと共にユーザーに情報を表示するように構成可能である。アセンブリ１０のディスプレイ１３４は、オプションとして、制限された情報のみを表示するのみに構成可能であり、若しくはその全体において除去可能である。ディスプレイ１３４のサイズを減じ又は除去することは、電子機器１３０により消費される電力を低減する利益を有する。外部電子装置１４２は、例えば、アセンブリ１０で提供され、又はインターネットを介して入手可能であるプログラム又はアプリケーションを介したユーザー相互作用を許容することが可能である。
【００５６】
ディスペンサーアセンブリ２００の別の実施形態が図９〜１８に図示される。ディスペンサーアセンブリ２００は、ヒンジ２６といったものによりベース２０４に対して枢動可能に取り付けられた蓋２０２を有する容器２０１を含む。ベース２０４は、内部領域２０５を概して画定する側壁２１０と底壁２０３を含む。内部領域２０５は、取付部材２１４の挿入を受容するようにサイズされる。取付部材２１４は、例えば、スナップフィット、機械式ファスナー、接着剤、又は溶接といった方法でベース２０４に固定される。取付部材２１４は、供給端部に第１端部２１６を有し、分配端部に第２端部２１８を有する。第１端部２１６は、ガイド２２０の少なくとも一部に係合するべく構成される。更には、第１端部２１６は、ガイドスロット２２２の一部を含み、ガイドスロット２２２が取付部材２１４の少なくとも一部に沿って延在する。ガイドスロット２２２は、取付部材２１４に沿って、ガイド２２０、端的にはガイド本体２２６から延在するレール２２４の動きを案内するように構成される。
【００５７】
図１４は、本発明の実施形態に係るガイド２２０を図示する。図示のように、ガイド本体２２６は、第１壁２２８及び第２壁２３０を含み、第２壁２３０が第１壁２２８から下方に延在する。第１壁２２８は、フック２３４を含む少なくとも一つのラッチ２３２を含む。ラッチ２３２の少なくとも一部が第１壁２２８から分離されており、以下で説明のように、ラッチ２３２が第１のレスト位置から第２の押下げ位置へ移動することが許容され、逆も然りである。加えて、一実施形態によれば、突起２３６も第１壁２２８から下方に延在し、突起２３６がバネ２３８の第１端部２４０をガイド２２０に固定するように構成される。バネ２３８の第２端部２４２は、図１３及び１７に示した止部２４４によりといった如くベース２０４又は取付部材２１４に接続される。
【００５８】
取付部材２１４の第２端部２１８がチャネル２４６を含み、これに沿って図１０に示す如き第１位置から図１１に示す如き第２位置へスライダー２４８が動き、逆も然りである。チャネル２４６の少なくとも一部が上壁２５０により被覆され、又はそこで終端する。上壁２５０及び／又はチャネル２４６は、スライダー２４８が第２位置へ移動される時にスライダー２４８が変位される距離を制限するように構成される。加えて、取付部材２１４は、スライダーアームスロット２５２を含み、スライダー２４８が第１位置から第２位置へ動かされる時にスライダー２４８のスライダーアーム２５４がそれを介して延在してストリップ１２に係合する。
【００５９】
取付部材２１４は、カートリッジ２０８の少なくとも一部の配置を受容するように構成された内部領域２５６も含む。カートリッジ２０８は、カートリッジ２０８の底部２５８から延在する少なくとも一つのグリップ２０６を含む。カートリッジ２０８は、ストリップ積層体１１といった製品の配置を受容するように構成される。ストリップ群１１は、カートリッジ２０８の底部２５８の少なくとも一部上に配置される。一実施形態によれば、側壁２６０は、底部２５８から少なくとも部分的に延在し、ストリップ積層体１１の配置の確保及び／又は個々のストリップ１２がディスペンサーアセンブリ２００から分配される時にカートリッジ２０８に沿うストリップ積層体１１の変位の案内を補助する。
【００６０】
上述のディスペンサーアセンブリ１０と同様、プッシャーバー２６２が内部領域２５６内、より詳細にはストリップ積層体１１の供給端部でカートリッジ２０８の底部２５８上に配置される。使用の際、バネ２３８が、（図１０及び１１に示す如く）概して方向「Ｐ」にガイド２２０に力を作用し、レール２２４がプッシャーバー２６２に係合し、ストリップ積層体１１がアセンブリ２００の分配端部に向って押される。
【００６１】
一実施形態によれば、カートリッジ２０８が、取付部材２１４に係合するように構成されたグリップ２０６を含み、ディスペンサーアセンブリ２００にカートリッジ２０８を固定する。例えば、図１６ａに図示の実施形態によれば、グリップ２０６が、取付部材２１４又はベース２０４の突起２６６又はリセスに嵌合するグリップ突起２６４又はラッチを含み、若しくは逆も然りである。図１６ａに図示の実施形態においては、カートリッジ２０８が内部領域２５６内に挿入される時、グリップ２０６が内側に変位され、曲げられ、変形され、又は押下げられ、グリップ突起２６４が取付部材２１４又はベース２０４に嵌合のように係合して固定される。カートリッジ２０８がディスペンサーアセンブリ２００から取り出される時、ユーザーは、グリップインターフェイス２６５に力をかけてグリップ２０６の少なくとも一部を内側に変位させ、グリップ突起２６４が取付部材２１４又はベース２０４の突起２６６又はリセスから非係合になり、逆も然りであり、これによりカートリッジ２０８と取付部材２１４又はベース２０４の間の干渉が除かれてカートリッジ２０８が内部領域２５６から除去される。ある実施形態によれば、グリップインターフェイス２６５は、少なくとも容器２０１から離れるようにカートリッジ２０８を持ちあげるべく、グリップ２０６を内側に押し、またグリップ２０６を掴むユーザーの技能を補助するグリップ２６５の凹部分である。加えて、グリップ２０６がベース２０４から離れるように、またその上を延在するため、本発明の実施形態に係る蓋２０２は、とりわけ他の形状や構成の内、図９に示す波形状といった起伏した形状を有してグリップ２０６の形状を収容する。
【００６２】
カートリッジ２０８は、カートリッジ２０８内に収容された製品を被覆するカバー２６８も含む。図１６ａに示すように、一実施形態によれば、カバー２６８は、カートリッジ２０８の側壁２６０に向かって延在する内側壁２７０を含み、ストリップ積層体１１のための製品収容空間を更に画定し、また、それは、個々のストリップ１２が分配される際にディスペンサーアセンブリ２００の分配端部に向ってストリップ群１１が移動するようなストリップ積層体１１の変位の案内を補助する。
【００６３】
カバー２６８は、カバー２６８から外にグリップ２０６の突起を収容するように構成された１以上のオリフィス２７２も含み、ユーザーがグリップ２０６にアクセスすることができる。オリフィス２７２は、カートリッジ２０８が取付部材２１４及び／又はベース２０４内に挿入され、またそこから取り外されるようなグリップ２０６の変位を収容するようにサイズされる。カバー２６８は、第１位置から第２位置へのスライダー２４８のスライド移動のため、また上壁２５０の突出を収容するために構成されたスロット２７４も含む。加えて、カバー２６８が分配開口２７６を含み、これを介して個々のストリップ１２がディスペンサーアセンブリ２００から分配される。図１０及び１１に示すように、ある実施形態によれば、分配開口２７６に隣接する領域が凹部領域２７７又は窪みを有し、ユーザーが分配開口２７６を介して分配されているストリップ１２を把持することの容易さが補助される。
【００６４】
一実施形態によれば、カバー２６８が、例えば、カバー２６８の外周面の周囲に配置のエラストマーシール２７８といったシール２７８に取り付けられる。そのような実施形態によれば、シール２７８が、図１６ａに示すように、取付部材２１４の上壁２８０の周囲、又は取付部材２１４とベース２０４の間にしっかりと適合する。しかしながら、ある実施形態によれば、シール２７８は、様々な異なる位置に設けられ得、若しくは異なる位置に多数のシールが設けられる。例えば、ある実施形態によれば、シールが、カバー２６８から上方に延在し、蓋２０２の上壁３２に接合する。加えて、シール２７８は、（図９、１６ａ、及び１６ｂに示すように）蓋が閉位置にある時に蓋２０２に嵌合又は係合する上部リップ２８２を含み、ディスペンサーアセンブリ２００内への湿気の進入を阻止するシールを形成する。シール２７８がエラストマー材料である実施形態においては、蓋２０２が開位置へ及びから移動することを許容するべくシール２７８が変形可能であり、また蓋２０２が閉位置にある時に蓋２０２に係合してシールを形成する。更に、ある実施形態によれば、シール２７８が、カバー２６８をカートリッジ２０８、取付部材２１４、及び／又はベース２０４に固定することを補助する。代替的に、又は加えて、カバー２６８は、とりわけ、接着剤、機械式ファスナー、干渉フィット、スナップフィット、又は溶接により、カートリッジ２０８に対して固定される。
【００６５】
一実施形態によれば、カートリッジ２０８、プッシャーバー２６２、カバー２６８、及びシール２７８は、いずれも個別若しくは一括で取り外し可能及び／又は使い捨てユニットの一部である。そのような実施形態によれば、カートリッジ２０８がディスペンサーアセンブリ２００内に挿入される前、ガイド２２０は、ディスペンサーアセンブリ２００の第１端部、又は供給端部に向って引かれる。加えて、ある実施形態によれば、ガイド２２０は、少なくとも一つのラッチ２３２が、特にはフック２３４が、取付部材２１４のリセス２８３又は突起に係合する如くに取付部材２１４に係合するまで供給端部に向って引かれ、ガイド２２０の位置をロックする。ガイド２２０がロック位置にある際、新しい又は再充填されたカートリッジ２０８が次に取付部材２１４内に挿入される。より詳細には、取付部材２１４内に挿入された再充填又は交換されたカートリッジ２０８は、ストリップ積層体１１と、プッシャーベース２０４を含み、同一又は交換のカバー２６８及びシール２７８により被覆される。しかしながら、他の実施形態によれば、１以上のこれらの部品がアセンブリ２００において別々に交換される。カートリッジ２０８は、グリップ突起２６４が取付部材２１４又はベース２０４の突起２６６にロック(lockingly)嵌合するまで挿入され、逆も然りである。図１６ｂに示すように、ある実施形態によれば、カートリッジ２０８は、カートリッジフック２０９又は突起を含む。そのような実施形態によれば、再使用又は交換されたカートリッジ２０８が取付部材２１４の凹部領域２７７に挿入又は配置される時、カートリッジフック２０９が、ラッチ２３２を下方に押してガイド２２０と取付部材２１４の間のロック係合を非係合にする。ラッチ２３２は、次に、バネ２３８により付与された力の影響を受け、ロック位置から移動し、及び／又はプッシャーバー２６２に対する押しを再開する。代替的に、ひとたびカートリッジ２０８が固定されると、ガイド２２０が押し下げられてフック２３４が取付部材２１４のリセス２８３から非係合になり、これにより、バネ２３８が分配端部に向ってガイド２２０を再び引くことになる。
【００６６】
製品は、図１〜８に図示のディスペンサーアセンブリ１０に関する上述の説明と同様の態様にてディスペンサーアセンブリ２００から分配される。より詳細には、蓋２０２が開位置にある際、ユーザーは、スライダー２４８を第１位置から第２位置へ変位させる。ユーザーがスライダー本体２４７の操作部分２４９を押し又は引くことによりスライダー２４８を変位させる時、スライダー２４８がチャネル２４６に沿って移動し、他方、スライダーアーム２５４は、取付部材２１４のスライダーアームスロット２５２を介してスライドし、個々のストリップ１２に係合し、例えば、ストリップ１２の下部コーナーに係合する。前述のように、スライダーアーム２５４が接触するストリップ１２の位置と同様、スライダーアーム２５４の輪郭により、ストリップ１２が回転又は枢動し、ストリップ１２の一部が分配開口２７６を介して突出する。
【００６７】
ユーザーがスライダー２４８を解放した後、バネ２８４がスライダー２４８を付勢して第１位置へ戻す。少なくとも図１８に示すように、スライダー本体２４７が突起２５１を有し、この周囲にバネ２８４の第１端部が係合し、他方、バネの第２端部がブラケット２５３に又はその間で取付部材２１４に固定され、又は係合する。加えて、ストリップ１２の分配後、バネ２３８が分配端部に向ってガイド２２０を付勢し、これによりガイド２２０のレール２２４が分配開口２７６に向かってプッシャーバー２６２、また残存のストリップ群１１を押す。ストリップ１２が個別に分配される時、ガイド２２０のレール２２４の変位が、ガイドスロット２２２により分配端部に向って案内されるだろう。ユーザーが、例えば全ストリップ１２の分配後のようにカートリッジ２０８を除去することを決定する時、ユーザーがグリップ２０６を内側に押下げ、グリップ突起２６４が取付部材２１４又はベース２０４の嵌合の突起２６６又はリセスに非係合になる。一実施形態によれば、ユーザーは、次に、別の交換又は再充填されたカートリッジ２０８を挿入する。更に、ある実施形態によれば、カートリッジ２０８を取り除くのではなく、ユーザーがカバー２６８を除去して取付部材２１４の内部領域２５８へのアクセスを獲得し、これにより、ユーザーが追加のストリップ１２又はストリップ積層体１１を挿入する前に供給端部に向ってガイド２２０及びプッシャーバー２６２を変位させる。繰り返すが、そのような実施形態によれば、ユーザーは、ストリップ１２又はストリップ積層体１１でカートリッジを再充填する前にラッチ２３２の使用によりガイド２２０の位置をロックする。
【００６８】
図１９〜２１は、上述の分配アセンブリ１０、２００と同様であるが、取り外し可能なインターフェイス電子機器２９５を含む分配アセンブリ２９０を図示する。例えば、図示のように、蓋２９４は、インターフェイス電子機器２９５の電子機器ハウジング２９６の取り外し可能な挿入を受容するべく構成されたポケット２９１を含む。着脱可能な取付方法の内、凹面２８７とポケット２９１の内部壁２９７の間の干渉又は押圧適合、若しくは電子機器ハウジング２９６からポケット２９１のアパーチャを介して突出する押下げ可能なレバー又はボタンといった方法により、電子機器ハウジング２９６がポケット２９１に着脱可能に固定される。インターフェイス電子機器２９５は、図８に関して前述したインターフェイス電子機器１３０と同様に作動し、プロセッサー１３２、ディスプレイ２９８、メモリー１３８、及びボタン１４０を含む。加えて、図８に関して説明したインターフェイス電子機器１３０と同様、ある実施形態によれば、ディスプレイ２９８は、とりわけ、携帯情報端末、携帯電話、又は携帯音楽装置といった外部装置１４２の一部である。更には、電子機器ハウジング２９６は、とりわけグルコースストリップの挿入を受容するべく構成されたポート２９９といった、図８に関して説明したポート１３６と同様のポート２９９も含む。
【００６９】
インターフェイス電子機器１３０、２９５は、再充電可能又は不能である、とりわけ、内部バッテリーといった、内部又は着脱可能な電源を含む。例えば、図２０に示すように、ある実施形態によれば、電子機器ハウジング２９６は、とりわけ、電気壁アウトレット又はコンピューターといった電源に動作可能に接続されたアダプターを受容又は嵌合するように構成されたコネクター２８６又は電源インレットを含む。このコネクター２８６は、プロセッサー１３２又はメモリー１３８から情報がダウンロード及び／又はそこへ情報がアップロードされることも許容する。
【００７０】
ディスペンサーアセンブリ３００の別の実施形態が図２２〜２７に図示される。図２２に示すように、ディスペンサーアセンブリ３００は、蓋３０２及びベース３０４を有する容器３０１、フレキシブル部材３０６、ディスペンサーハウジング３０８、及びガイドハウジング３１０を含む。ベースは、内部領域３０５を画定する側壁３０３を含む。蓋３０２は、開位置から、図２２に示すように、閉位置へ蓋３０２が動くことを許容するヒンジ３１２によりベース３０４に取り付けられる。閉位置にある時、蓋３０２の少なくとも一部がシール３１４に係合してディスペンサーアセンブリ３００内への湿気の進入を調整する。図２２に示すように、一実施形態によれば、シール３１４は、ディスペンサーハウジング３０８の上部周囲面３１６の周りに配置されたガスケットである。例えば、図２２及び２５に示すように、シール３１４は、ディスペンサーハウジング３０８の上部周囲面３１６の上及び下面３１８、３２０の周りに固定される。しかしながら、シール３１４は、ディスペンサーハウジング３０８又はベース３０４の周囲縁(peripheral edge)に沿うといったように、様々な位置に設けられ得、若しくは蓋３０２の上壁３２２に接合するシールといった、他のシールと共に用いられ得る。ある実施形態によれば、シール３１４は、エラストマー材料から成る。
【００７１】
図２３及び２４に示すように、ある実施形態によれば、内側レセプタクル(receptacle)３２４が、ベース３０４の内部領域３０５内に配置される。別々の部品として図示されるが、ある実施形態によれば、ベース３０４と内側レセプタクル３２４が一つの一体部品である。内側レセプタクル３２４は、側壁３２６とレバー３２８を含む。一実施形態によれば、レバー３２８は、内側レセプタクル３２４のベース部分３２７から延在する。加えて、側壁３２６は、ユーザーがフレキシブル部材３０６を押してレバー３２８を変位、曲げ、又は回転させることを許容するべく構成される。
【００７２】
側壁３２６は、ディスペンサーハウジング３０８及びガイドハウジング３１０の少なくとも一部の配置のための内部領域３２９を概して画定する。ディスペンサーハウジング３０８とガイドハウジング３１０は、とりわけ、例えば、干渉フィット、スナップフィット、スクリュー又はピンといった機械式ファスナー、接着剤、及び／又は溶接といった方法で内側レセプタクル３２４及び／又はベース３０４に固定される。加えて、少なくとも図２６に示すように、ガイドハウジング３１０の一部が、ディスペンサーハウジング３０８の上部周囲面３１６の開口を介して突出する。
【００７３】
ある実施形態によれば、内側レセプタクル３２４の側壁３２６が、内側レセプタクル３２４にベース３０４を固定するための押圧又は干渉フィットを形成するべく構成された複数のテーパーリブ３３０を含む。加えて、フレキシブル部材３０６は、フレキシブル部材３０６の一部が１以上のリブ３３０とベース３０４の間に配置及び／又は押圧されてフレキシブル部材３０６をディスペンサーアセンブリ３００に固定するべく構成される。
【００７４】
内側レセプタクル３２４のレバー３２８は、例えば、プッシャーブレード３３２の第１端部３３４が押圧又はスナップフィットにより固定されるアパーチャ３３８によりプッシャーブレード３３２の第１端部３３４に動作可能に接続される。プッシャーブレード３３２は、ガイドハウジング３１０のスロット３４０内に、及びそこに沿ってレバー３２８から延在する。レバー３２８は、第１のレスト位置から第２位置へ曲がり、変形し、歪み、又は回転するように構成され、第１端部３３４の概して近傍のプッシャーブレード３３２が（図２３に示すように）「Ｖ」方向に概して変位し、従って、プッシャーブレード３３２の第２端部３３６が変位し、ストリップ１２といった製品が、以下で説明のように、ディスペンサーハウジング３０８から分配される。
【００７５】
ディスペンサーハウジング３０８は、上部３４６、本体部分３４２、及び上部周囲面３１６を含む。本体部分３４２は、ストリップ積層体１１の配置を受容するように構成された内部領域３４４を概して画定する側壁３２６を含む。本体部分３４２の上部３４６が分配開口３４８を含み、これを介して個々のストリップ１２がユーザーに分配される。ある実施形態によれば、上部３４６が、プッシャーブレード３３２の第２端部３３６の移動可能な挿入を受容するように構成されたスロット３５０を含む。供給端部といった、本体部分３４２の下部３５２が下部開口３５３を含み、これを介してストリップ積層体１１が内部領域３４４内に挿入される。プッシャーバー３５４は、内部領域３４４内へのストリップ積層体１１の挿入後に内部領域内にかつ下部開口３５３を介して内部領域３４４の少なくとも一部内に挿入されもする。
【００７６】
ある実施形態によれば、ディスペンサーハウジング３０８の本体部分３４２は、ディスペンサーハウジング３０８に沿ってガイド３５８の動きを許容及び／又は案内する１以上のスロット３５６を含む。更には、ある実施形態によれば、プッシャーバー３５４に接合するガイド３５８が、例えば、バネ３６２の第１端部３６４に又はその周囲に固定されるようにバネ３６２に固定される。バネ３６２が、ディスペンサーハウジング３０８の分配端部に向けて、ガイド３５８、また従ってプッシャーバー３５４並びにストリップ積層体１１を付勢する。より詳細には、ある実施形態によれば、ガイド３５８がアパーチャ３６０を含み、この中にバネ３６２の第１端部３６４が固定され及び／又はガイド３５８内に配置され、またこれによりガイド３５８が上部３４６に向かって変位する時にバネ３６２の部分がアパーチャ３６０内に後退することが許容される。バネ３６２の第２端部３６６が、内側レセプタクル３２４、ベース３０４、又はディスペンサーハウジング３０８の他の部分の開口又は止部に取り付けられたフック３６８を含む。加えて、ある実施形態によれば、ガイド３５８は、プッシャーバー３５４の一体部分であり、又はプッシャーバー３５４へバネ３６２により交換される。加えて、内側レセプタクル３２４は、概して「Ｖ」方向にガイド３５８の動きを案内することを補助するスロット３７２を含む。
【００７７】
使用に際しては、ユーザーがフレキシブル部材３０６を押して上方にレバー３２８を変位させ、曲げ、又は回転させるといったように、ユーザーがフレキシブル部材３０６を押して「Ｖ」方向に第１端部３３４の近傍のプッシャーブレード３３２の部分を概して変位させることにより、個別のストリップ１２がディスペンサーアセンブリ３００から分配される。プッシャーブレード３３２のこの動きにより、プッシャーブレード３３２の少なくとも一部がスロット３４０に沿って動かされ、プッシャーブレード３３２の第２端部３３６が（図２３に示されるように）「Ｌ」方向に概して変位される。プッシャーブレード３３２の第２端部３３６が「Ｌ」方向に概して変位し、プッシャーブレード３３２の第２端部３３６がストリップ積層体１１の上部にあるストリップ１２の端部に接触し、これにより、上部のストリップ１２が「Ｌ」方向に動き、ストリップ１２の少なくとも一部がディスペンサーハウジング３０８の分配開口３４８から外に延出する。ストリップ１２の少なくとも一部が分配開口３４８を介して延出し、ユーザーがストリップ１２を把持してディスペンサーアセンブリ３００からストリップ１２を取り出すことができる。代替的に、ある実施形態によれば、プッシャーブレード３３２がディスペンサーハウジング３０８内に少なくとも十分に遠くに延在しストリップ１２の全体がディスペンサーハウジング３０８から外に押し出される。
【００７８】
ディスペンサーアセンブリ３００からストリップ１２が分配された後、バネ３６２は、現在は分配されたストリップ１２により先程まで占有された空間を埋めるように、本体部分３４２の上部３４６に向かって、プッシャーバー３５４、また従ってストリップ積層体１１を移動するようにガイド３５８に作用する。従って、ディスペンサーアセンブリ３００からストリップ１２が分配された後、バネ３６２がストリップ積層体１１の移動を補助し、これにより、今はストリップ積層体１１の上部にあるストリップ１２が分配開口３４８に隣接し、かつプッシャーブレード３３２との係合のための位置に配置される。
【００７９】
ユーザーがフレキシブル部材３０６、また従ってレバー３２８上の押圧を解放すると、レバー３２８がその変位前位置に概して復帰し、従って、プッシャーバー３５４の少なくとも一部が第２端部３３６の概して近傍に後退してガイドハウジング３１０内に戻る。しかしながら、ある実施形態によれば、ユーザーがフレキシブル部材３０６上の押圧を解放してレバー３２８がその第１位置に概して復帰した後に第２端部３３６の近傍のプッシャーブレード３３２の少なくとも一部がガイドハウジング３１０の外に延在することを継続する又はしない。
【００８０】
ディスペンサーアセンブリ３００は、ストリップ積層体１１により再充填され得る。例えば、ある実施形態によれば、ストリップ１２の供給源が使い尽くされ又はもはや使用されなくなった後、ディスペンサーアセンブリ３００の部品の個々又は集合が取り除かれてストリップ１２又はストリップ積層体１１により再充填され及び／又は新しい部品により交換される。例えば、ある実施形態によれば、ベース３０４及び蓋３０２が、新しい、使用済みの、又はこれらの組み合わせの、ディスペンサーハウジング３０８、ガイドハウジング３１０、シール３１４、プッシャーバー３５４、バネ３６２、ガイド３５８、及びストリップ積層体１１又は個々のストリップ１２を含む新しい内側レセプタクル３２４上に配置される。そのような実施形態によれば、フレキシブル部材３０６が再使用され、又は新しいフレキシブル部材３０６により交換される。同様に、ある実施形態によれば、ディスペンサーハウジング３０８が、例えば、スナップ又は干渉フィットの克服若しくは機械式ファスナーの除去といった方法で内側レセプタクル３２４から取り除かれ、ストリップ積層体１１を含む新しいディスペンサーハウジング３０８により交換され、又は追加のストリップ１２で再充填される。従って、他の個別の部品も、例えば、新しいシール３１４を新しいディスペンサーハウジング３０８に供給するといった方法で除去及び／又は交換され得る。
【００８１】
上述したどの実施形態においても、ディスペンサーアセンブリ１０、２００、３００の部分が、米国特許Ｎｏ．５,９１１,９３７、６,２１４,２５５、６,１３０,２６３、６,０８０,３５０、６,１７４,９５２、６,１２４,００６、及び６,２２１,４４６に開示されたような乾燥性のプラスチック材料により形成可能であり、これらは本明細書にあたかも完全に説明される如く参照により組み込まれる。例えば、一実施形態において、プッシャーバー６４、２６２、３５４が乾燥性プラスチック材料から成り得る。
【００８２】
本発明の実施形態を詳細に上述したが、本発明は特定の開示の実施形態に限定されず、これらは単なる例として把握されるべきである。
【符号の説明】
【００８３】
参照番号リスト
１０ ディスペンサーアセンブリ
１１ ストリップ積層体
１２ 個々のストリップ
１３ 接触コーナー
１４ （１１の）第１端部
１６ （１１の）第２端部
１８ （１２の）分配端部
２０ 容器
２２ ベース
２４ 蓋
２６ ヒンジ
２８ （２２の）底壁
３０（２２の）側壁
３２ （２４の）上壁
３４ （２４の）側壁
３８ （３０の）上部エッジ
５０ カートリッジ
５２ （５０の）内部
５４ 分配開口
５５ （５０の）供給端部
５６ （５０の）分配端部
５８ スライダーアームスロット
６０ クリアランススロット
６２ ガイドスロット
６４ プッシャーバー
６６ アクセス開口
７０ 包装
８０ カートリッジハウジング
８２ リセス
８４ ガイドスロット
８６ （８０の）供給端部
８８ （８０の）分配端部
９０ ガイド
９２ レール
９４ （９０の）本体
９６ バネ
９８ （９６の）第１端部
１００ （９６の）第２端部
１０２ 突起
１０４ 止部
１０６ チャネル
１０８ アクセススロット
１１２ （１０６の）上壁
１１４ スライダーアームスロット
１１６ (１０６の）側壁
１２０ スライダー
１２２ （１２０の）本体
１２４ 操作部分
１２６ アーム
１３０ インターフェイス電子機器
１３２ プロセッサー
１３４ ディスプレイ
１３６ ポート
１３８ メモリー
１４０ ボタン
１４２ 外部装置
１４４ （１４２の）ディスプレイ
１４６ トラック
１４８ トラック
２００ ディスペンサーアセンブリ
２０１ 容器
２０２ 蓋
２０３ 底壁
２０４ ベース
２０５ （２０４の）内部領域
２０６ グリップ
２０８ カートリッジ
２０９ カートリッジフック
２１０ （２０４の）側壁
２１４ 取付部材
２１６ （２１４の）第１端部
２１８ （２１４の）第２端部
２２０ ガイド
２２２ ガイドスロット
２２４ レール
２２６ ガイド本体
２２８ 第１壁
２３０ 第２壁
２３２ （２２０の）ラッチ
２３４ フック
２３６ （２２０の）突起
２３８ バネ
２４０ （２３８の）第１端部
２４２ （２３８の）第２端部
２４４ 止部
２４６ （２１４の）チャネル
２４７ スライダー本体
２４８ スライダー
２４９ 操作部分
２５０ 上壁
２５１ （２４８の）突起
２５２ スライダーアームスロット
２５３ ブラケット
２５４ （２４８の）スライダーアーム
２５６ 内部領域
２５８ （２０８の）底部
２６０ （２０８の）側壁
２６２ プッシャーバー
２６４ グリップ突起
２６５ グリップインターフェイス
２６６ （２１４の）突起
２６８ カバー
２７０ （２６８の）内側壁
２７２ オリフィス
２７４ スロット
２７６ 分配開口
２７７ （２１４の）凹部領域
２７８ シール
２８０ （２０８の）上壁
２８２ 上部リップ
２８３ （２１４の）リセス
２８４ バネ
２８６ コネクター
２８７ 凹面
２９０ ディスペンサーアセンブリ
２９１ （２９４の）ポケット
２９２ ベース
２９３ （２９６の）凹面
２９４ 蓋
２９５ インターフェイス電子機器
２９６ 電子機器ハウジング
２９７ 内部壁
２９８ ディスプレイ
２９９ ポート
３００ ディスペンサーアセンブリ
３０１ 容器
３０２ 蓋
３０３ （３０４の）側壁
３０４ ベース
３０５ （３０４の）内部領域
３０６ フレキシブル部材
３０８ ディスペンサーハウジング
３１０ ガイドハウジング
３１２ ヒンジ
３１４ シール
３１６ 上部周囲面
３１８ 上面
３２０ 下面
３２２ 上壁
３２４ 内側レセプタクル
３２６ 側壁
３２７ ベース部分
３２８ レバー
３２９ （３２４の）内部領域
３３０ リブ
３３２ プッシャーブレード
３３４ （３３２の）第１端部
３３６ （３３２の）第２端部
３３８ （３２８の）アパーチャ
３４０ スロット
３４２ 本体部分
３４４ 内部領域
３４６ （３０８の）上部
３４８ （３０８の）分配開口
３５０  （３４６の）スロット
３５２ （３４２の）下部
３５３ 下部開口
３５４ プッシャーバー
３５６ （３４２の）スロット
３５８ ガイド
３６０ （３５８の）アパーチャ
３６２ バネ
３６４ （３６２の）第１端部
３６６ （３６２の）第２端部
３６８ フック
３７２ （３２４の）スロット
【図１】
2014517910.tif 000003
【図２】
2014517910.tif 000004
【図３】
2014517910.tif 000005
【図４】
2014517910.tif 000006
【図５】
2014517910.tif 000007
【図６Ａ】
2014517910.tif 000008
【図６Ｂ】
2014517910.tif 000009
【図６Ｃ】
2014517910.tif 000010
【図７Ａ】
2014517910.tif 000011
【図７Ｂ】
2014517910.tif 000012
【図９】
2014517910.tif 000013
【図１０】
2014517910.tif 000014
【図１１】
2014517910.tif 000015
【図１２】
2014517910.tif 000016
【図１３】
2014517910.tif 000017
【図１４】
2014517910.tif 000018
【図１５】
2014517910.tif 000019
【図１６Ａ】
2014517910.tif 000020
【図１６Ｂ】
2014517910.tif 000021
【図１７】
2014517910.tif 000022
【図１８】
2014517910.tif 000023
【図１９】
2014517910.tif 000024
【図２０】
2014517910.tif 000025
【図２１】
2014517910.tif 000026
【図２２】
2014517910.tif 000027
【図２３】
2014517910.tif 000028
【図２４】
2014517910.tif 000029
【図２５】
2014517910.tif 000030
【図２６】
2014517910.tif 000031
【図２７】
2014517910.tif 000032
【図８】
2014517910.tif 000033
【国際調査報告】
2014517910.tif 000034
2014517910.tif 000035